(57)【要約】      （修正有）【課題】安価で容易に使用可能な衛生シートを提供する。【解決手段】シート本体１０に表示された手形２０に手を合わせて把持対象物を非接触で把持することができる衛生シート１であって、手形２０の親指部２１と人差し指部２２との間に、第１の易折り曲げ線３０、３１、３２が複数形成されている。複数の第１の易折り曲げ線３０、３１、３２は、指股側から指先側に向けて間隔が広がるように放射状に配置されている。【選択図】図１
0003228315.tif 000002
【実用新案登録請求の範囲】
【請求項１】
シート本体に表示された手形に手を合わせて把持対象物を非接触で把持することができる衛生シートであって、
前記手形の親指部と人差し指部との間に、折り曲げ容易となる直線状の第１の易折曲部が複数形成されている衛生シート。
【請求項２】
複数の前記第１の易折曲部は、指股側から指先側に向けて間隔が広がるように放射状に配置されている請求項１に記載の衛生シート。
【請求項３】
前記手形の中指部と薬指部との間に、折り曲げ容易となる直線状の第２の易折曲部が複数形成されており、
複数の前記第２の易折曲部は、同一直線上に間隔をあけて配置されている請求項１または２に記載の衛生シート。
【請求項４】
前記手形の小指部の外側に、折り曲げ容易となる直線状の第３の易折曲部が複数形成されており、
複数の前記第３の易折曲部は、前記小指部の側方近傍から前記シート本体の縁部に向けて間隔が広がるように放射状に配置されている請求項３に記載の衛生シート。
【請求項５】
前記手形は、右手および左手が前記シート本体の表裏面にそれぞれ表示されており、
前記第１の易折曲部、第２の易折曲部および第３の易折曲部は、前記シート本体の表裏で兼用される請求項４に記載の衛生シート。
【考案の詳細な説明】
【技術分野】
【０００１】
本考案は、衛生シートに関し、より詳しくは、吊り革や手すり等の把持対象物を非接触で把持するための衛生シートに関する。
【背景技術】
【０００２】
吊り革や手すり等のように不特定多数の人が利用する箇所に対して、衛生上の問題から非接触で把持する手段が従来から検討されている。例えば、特許文献１には、シートの片面に塗布された再剥離性の粘着剤を手の平や足の裏に直接貼り付けることで、手や足を保護する手足カバーが開示されている。
【先行技術文献】
【特許文献】
【０００３】
【特許文献１】特開２００１−２１８７８９号
【考案の概要】
【考案が解決しようとする課題】
【０００４】
ところが、上記の手足カバーは、粘着剤層を設けることによって製造コストが高くなるだけでなく、粘着剤層が意図しない箇所に付着する等して取り扱いが煩雑になるおそれがあった。
【０００５】
そこで、本考案は、安価で容易に使用可能な衛生シートの提供を目的とする。
【課題を解決するための手段】
【０００６】
本考案の前記目的は、シート本体に表示された手形に手を合わせて把持対象物を非接触で把持することができる衛生シートであって、前記手形の親指部と人差し指部との間に、折り曲げ容易となる直線状の第１の易折曲部が複数形成されている衛生シートにより達成される。複数の前記第１の易折曲部は、指股側から指先側に向けて間隔が広がるように放射状に配置されていることが好ましい。
【０００７】
この衛生シートは、前記手形の中指部と薬指部との間に、折り曲げ容易となる直線状の第２の易折曲部が複数形成されていることが好ましく、複数の前記第２の易折曲部は、同一直線上に間隔をあけて配置されていることが好ましい。
【０００８】
更に、前記手形の小指部の外側に、折り曲げ容易となる直線状の第３の易折曲部が複数形成されていることが好ましく、複数の前記第３の易折曲部は、前記小指部の近傍から前記シート本体の縁部に向けて間隔が広がるように放射状に配置されていることが好ましい。
【０００９】
前記手形は、右手および左手を前記シート本体の表裏面にそれぞれ表示することができ、  前記第１の易折曲部、第２の易折曲部および第３の易折曲部を、前記シート本体の表裏で兼用することができる。
【考案の効果】
【００１０】
本考案によれば、安価で容易に使用可能な衛生シートを提供することができる。
【図面の簡単な説明】
【００１１】
【図１】本考案の一実施形態に係る衛生シートの表面図である。
【図２】図１に示す衛生シートの裏面図である。
【考案を実施するための形態】
【００１２】
以下、本考案の一実施形態について添付図面を参照しつつ説明する。図１は、本考案の一実施形態に係る衛生シートの平面図であり、表面側を示している。図１に示すように、衛生シート１は、シート本体１０の表面側に、右手の手形２０が標準的な大きさで印刷等により表示されている。シート本体１０は、紙、布、合成樹脂等から形成される厚みが薄い可撓性の部材であり、本実施形態では、Ａ３グロスコート紙（米坪量：69.9 g/ｍ２ 、斤量：55 kg  ※A判/38.5 kg）を使用し、印刷後に型抜き加工を行うことによりシート本体１０が形成される。
【００１３】
シート本体１０における手形２０の外側には、折り曲げ容易となるように直線状のミシン目からなる第１の易折曲部３０，３１，３２、第２の易折曲部４０，４１、および第３の易折曲部５０，５１，５２が、それぞれ形成されている。、
【００１４】
第１の易折曲部３０，３１，３２は、手形２０の親指部２１と人差し指部２２との間に形成されており、親指部２１および人差し指部２２間の指股側を起点として、指先側に向けて間隔が広がるように放射状に配置されている。
【００１５】
第２の易折曲部４０，４１は、手形２０の中指部２３と薬指部２４との間に形成されており、同一の直線状に配置されている。第２の易折曲部４０，４１は、互いの間で切れ目が連続することなく、シート本体１０が第２の易折曲部４０，４１の間で第２の易折曲部４０，４１と略直交方向に屈曲可能となるように、必要な間隔（例えば１ｃｍ程度）をあけて配置されることが好ましい。
【００１６】
第３の易折曲部５０，５１，５２は、手形２０の小指部２５の外側に形成されており、小指部２５の側方近傍を起点として、シート本体１０の縁部に向けて間隔が広がるように放射状に配置されている。
【００１７】
シート本体１０の縁部から、第１の易折曲部３０，３１，３２、第２の易折曲部４０、または第３の易折曲部５０，５１，５２に沿って不意に切断されるのを防止するため、シート本体１０の縁部と上記の易折曲部との間隔は、３ｍｍ程度を確保することが好ましい。
【００１８】
上記の構成を備える衛生シート１は、２つ折りに折り畳んで、小型（例えばＡ５規格）のチャック付き袋等にコンパクトな状態で複数収容することにより、外出時に容易に携帯することができる。そして、不特定多数の人が利用する吊り革、手すり、ドアノブ、椅子の背もたれ等の把持対象物を把持する際には、袋から迅速に取り出して使用することができる。
【００１９】
衛生シート１の使用に際しては、表示された手形２０に右手を合わせて一旦軽く握ることにより、シート本体１０と手の平との間に静電気による吸引力が生じ、シート本体１０を右手に軽くフィットさせることができる。シート本体１０のフィット感を高めるため、シート本体１０に手の平が接触する部分には、表面を平滑にする印刷等を施さないことが望ましい。この後、衛生シート１を介して、把持対象物を非接触で安全に把持することができる。
【００２０】
第１の易折曲部３０，３１，３２、第２の易折曲部４０，４１、および第３の易折曲部５０，５１，５２は、衛生シート１を介して把持対象物を把持する際に、衛生シート１が手に馴染むようにシート本体１０の折り曲げ箇所を自ずと特定することができ、これによって把持対象物を確実に把持することができる。
【００２１】
すなわち、第１の易折曲部３０，３１，３２および第３の易折曲部５０，５１，５２は、それぞれを頂部とする断面多角形状に折り曲げられるため、シート本体１０がこれらの箇所で過度に盛り上がった状態になるおそれがなく、これに伴うシート本体１０の弾性反発力を抑制して、衛生シート１が手にフィットした状態を良好に維持することができる。第１の易折曲部３０，３１，３２および第３の易折曲部５０，５１，５２は、本実施形態ではそれぞれ３つを配置しているが、放射状に複数配置されていればよく、その数は特に限定されない。
【００２２】
第２の易折曲部４０，４１についても、この箇所での折り曲げによって生じるシート本体１０の盛り上がりが、第２の易折曲部４０，４１間での指先に向けた折り曲げによって緩和されるため、シート本体１０の弾性反発力を抑制することができる。第２の易折曲部４０，４１の数についても、同一の直線上に間隔をあけて複数配置される限り、特に限定されない。
【００２３】
第１の易折曲部３０，３１，３２、第２の易折曲部４０，４１、および第３の易折曲部５０，５１，５２は、把持対象物を把持する際に折り曲げ容易となるように形成されていればよく、ミシン目以外にハーフカットや筋押し等により形成してもよい。
【００２４】
以上は衛生シート１を右手用として使用する場合の説明であるが、本実施形態の衛生シート１は、シート本体１０の裏面側を利用して、左手用として使用することもできる。  図２は、図１に示す衛生シート１の裏面側を示す図である。図２に示すように、シート本体１０の裏面側には、左手の手形２０が表示されている。左手の手形２０の位置は、表面側の右手の手形２０の位置に一致しており、第１の易折曲部３０，３１，３２、第２の易折曲部４０，４１、および第３の易折曲部５０，５１，５２を、シート本体１０の表裏で兼用することができるので、上記の右手用と同様に、衛生シート１を左手に確実にフィットさせることができる。
【００２５】
衛生シート１の表裏面は、手の平が接触しない手形２０の外側を互いに異なる色で着色することにより、使用者が利き手に応じて使用する面を容易に選択することができる。本実施形態においては、右手用の表面側を緑色とし、左手用の裏面側を青色としているが、色の組み合わせは特に制限されない。
【符号の説明】
【００２６】
１  衛生シート
１０  シート本体
２０  手形
２１  親指部
２２  人差し指部
２３  中指部
２４  薬指部
２５  小指部
３０，３１，３２  第１の易折曲部
４０，４１  第２の易折曲部
５０，５１，５２  第３の易折曲部
【図１】
0003228315.tif 000003
【図２】
0003228315.tif 000004